(57)【要約】【課題】断熱材をコンクリート壁面に容易にしかも強固に取付けることができる断熱材の取付け構造及び取付け方法を提供する。【解決手段】コンクリート壁１０のセパレータ孔６Ａに継手部材４の一端側を螺合する。コンクリート壁１０の壁面に沿って断熱材１２を配置する。このとき、継手部材４の尖頭部４Ｂが断熱材１２に刺入される。継手部材４、押え部材２をねじ込んで断熱材１２を固定する。【選択図】　図１
2004027612.tif 000002
【特許請求の範囲】
【請求項１】
セパレータ孔が露出したコンクリート壁面に断熱材が取付けられた構造であって、
該セパレータ孔に棒状又は筒状の継手部材の一端がねじ込まれ、
該コンクリート壁面に沿って配置されたボード状の断熱材に該継手部材が刺入され、
該断熱材を押えるための押え部材が該継手部材の他端側にねじ込まれ、これによって断熱材が該コンクリート壁面に取付けられていることを特徴とする断熱材の取付け構造。
【請求項２】
請求項１において、前記継手部材の他端側は尖頭形状となっていることを特徴とする断熱材の取付け構造。
【請求項３】
請求項１又は２において、前記継手部材は筒状であり、該継手部材の前記一端側には内向きの鍔部が設けられていることを特徴とする断熱材の取付け構造。
【請求項４】
セパレータ孔が露出したコンクリート壁面に断熱材を取付ける方法であって、
該セパレータ孔に棒状又は筒状の継手部材の一端をねじ込み、
該コンクリート壁面に沿って断熱材を配置し、このボード状の断熱材に該継手部材を刺入させ、
該断熱材を押えるための押え部材を該継手部材の他端側にねじ込み、これによって断熱材を該コンクリート壁面に取付けることを特徴とする断熱材の取付け方法。
【発明の詳細な説明】
【０００１】
【発明の属する技術分野】
本発明は断熱材をコンクリート壁面に取付けた構造及び断熱材をコンクリート壁面に取付ける方法に関するものであり、詳しくは、コンクリート壁面に露出したセパレータ孔を利用した断熱材のコンクリート壁面への取付け構造及び方法に関する。
【０００２】
【従来の技術】
断熱材をコンクリート壁面に取付ける方法として、
▲１▼　接着剤を用いて断熱材をコンクリート壁面に張り付ける方法、
▲２▼　ポリマーセメントモルタル等のモルタルを用いて断熱材をコンクリート壁面に張り付ける方法、
▲３▼　コンクリート壁面にアンカー及び受け金具を設置し、これらに断熱材を取付ける方法、
▲４▼　特開平１０−２０３４の如く、粘着シート付き固定鋲の頭部を粘着シートによって壁面に粘着・固定し、該固定鋲のピン部に断熱材を刺入することによって断熱材を壁面に取付ける方法、及び
▲５▼　特開平１１−７１８３６の如く、保持金具を釘やねじ等を用いて壁面に固定し、この保持金具で断熱材を係止することによって、断熱材を壁面に取付ける方法、
が知られている。
【０００３】
【発明が解決しようとする課題】
しかしながら、上記▲１▼又は▲２▼の取付け方法の場合、断熱材を壁面に張り付けた後に、粘着剤やモルタルが十分な強度を得るまで一定の養生期間が必要になり、作業工程が長期化する原因となっていた。
【０００４】
▲３▼の取付け方法においては、アンカー及び受け金具を壁面に取付ける作業が必要であり、これが工事費の低減と工程短縮の障害となっていた。
【０００５】
▲４▼の取付け方法においては、粘着シート付き固定鋲の頭部を粘着シートによって壁面に粘着・固定した直後に、該固定鋲のピン部に断熱材を刺入して取付けることが可能であるため、工期は短縮する。しかし、特に外壁面への施工においては粘着テープの耐久性に問題があり、また、固定鋲の先端が釘状で鋭利なため、断熱材を取付け易い反面、断熱材が抜け易いという欠点があった。そこで、固定鋲のピン部の形状を、実開昭５６−１４３３１０又は実公昭６１−３４４１１の如く先端が鋭利な板状とし、該板状部を断熱材に刺入し、断熱材を突き抜けた板状部の先端を折り曲げて断熱材を定着させる方法が考えられる。しかしながら、断熱材を定着させるためには板状部の面積を大きくする必要があり、このため板状部を折り曲げるのに手間がかかっていた。
【０００６】
▲５▼の施工方法においては、保持金具を釘やねじ等を用いてコンクリート壁面に固定する必要があり、保持金具の取付けに手間を要していた。
【０００７】
本発明は、上記従来の問題点を解決し、断熱材をコンクリート壁面に容易にしかもしっかりと取付けることができる断熱材の取付け構造及び方法を提供することを目的とする。
【０００８】
【課題を解決するための手段】
本発明の断熱材の取付け構造は、セパレータ孔が露出したコンクリート壁面に断熱材が取付けられた構造であって、該セパレータ孔に棒状又は筒状の継手部材の一端がねじ込まれ、該コンクリート壁面に沿って配置されたボード状の断熱材に該継手部材が刺入され、該断熱材を押えるための押え部材が該継手部材の他端側にねじ込まれ、これによって断熱材が該コンクリート壁面に取付けられていることを特徴とするものである。
【０００９】
また、本発明の断熱材の取付け方法は、セパレータ孔が露出したコンクリート壁面に断熱材を取付ける方法であって、該セパレータ孔に棒状又は筒状の継手部材の一端をねじ込み、該コンクリート壁面に沿って断熱材を配置し、このボード状の断熱材に該継手部材を刺入させ、該断熱材を押えるための押え部材を該継手部材の他端側にねじ込み、これによって断熱材を該コンクリート壁面に取付けることを特徴とするものである。
【００１０】
かかる本発明の断熱材の取付け構造及び方法によると、断熱材は、セパレータ孔にねじ込まれて固定されて継手部材及び押え部材によってコンクリート壁面に取付けられるので、断熱材の取付けがきわめてしっかりしたものとなる。また、断熱材の取付け作業は、継手部材のセパレータ孔へのねじ込み、この継手部材への断熱材の刺入、及びこの継手部材への押え部材のねじ込みだけであり、きわめて簡単である。
【００１１】
なお、継手部材の他端側を尖頭形状としておくことにより、断熱材に継手部材を容易に刺し込むことが可能となる。
【００１２】
また、継手部材を筒形とし、この継手部材の一端側に内向きの鍔部を設けた場合には、この継手部材をコンクリート用釘又はビスによってコンクリート壁面のセパレータ孔以外の箇所にも取付けることが可能となる。
【００１３】
【発明の実施の形態】
以下、本発明の実施の形態について説明するが、まず本発明が断熱材の取付け対象とするコンクリート壁面にセパレータ孔が存在する理由を図４を参照して簡単に説明する。
【００１４】
コンクリート型枠は、合板３５，３５の背面に桟木３６をねじ止めし、構築すべき壁等の高さや幅に応じて２枚の合板３５，３５を所定の間隔を置いて対向させて立設される。両端にナット６，６を螺合したセパレータ３０を２枚の合板３５，３５の間に介在させ、タイロッド３３を合坂３５，３５にあけた孔３８に挿通し、タイロッド３３をナット６，６に螺合することによってナット６，６を介してセパレータ３０に連結する。次いで、打設されたコンクリートの圧力に耐え得るように、金属製補強パイプ３４，３４を桟木３６に対して直角に配設し、タイロッド３３に螺合されたナット３７を締め付けることによって座金３９を介して金属製補強パイプ３４，３４を桟木３６に固定する（例えば、特公昭６３−２３３４７号公報参照）。
【００１５】
コンクリートを打設した後でコンクリート壁１０から型枠が取り外されると、セパレータ３０及びナット６，６はコンクリート内に残置される。
【００１６】
本発明は、このようにコンクリート壁面の表面に残置されたナットを利用して断熱材をコンクリート壁面に取付けるものであり、詳しくはこのナット孔（セパレータ孔）を利用して断熱材をコンクリート壁面に取付けるものである。
【００１７】
以下、図１〜図３を参照して本発明による断熱材の取付け施工例を説明する。
【００１８】
図１（ａ）は本発明の実施の形態に係る断熱材の取付け構造を示す断面図であり、図１（ｂ）は図１（ａ）における断熱材の取付け方法を説明する斜視図である。
【００１９】
この断熱材の取付け構造は、コンクリート壁１０のセパレータ孔６Ａに継手部材４をねじ込んで固定し、断熱材１２を該コンクリート壁１０に重ね合わせて該継手部材４を該断熱材１２に刺通し、この継手部材４に押え部材２をねじ込んで該断熱材１２を固定したものである。
【００２０】
このコンクリート壁１０内には、コンクリート打設時に使用したセパレータ８及びナット６が残置されている。セパレータ８の一端側の雄ねじ部８Ａは、ナット６の一端面に設けられた雌ねじ部６Ｂと螺合されている。ナット６の他端面はコンクリート壁１０の壁面と面一であり、この他端面にはコンクリート打設時にタイロッドを螺合するためのセパレータ孔６Ａが設けられている。このセパレータ孔６Ａの内周面には雌ねじが設けられている。
【００２１】
継手部材４は略筒状であり、その一端側には、求心方向に向って突出する内向き鍔部４Ｃが設けられている。この鍔部４Ｃの中央に開口４Ｄが設けられている。継手部材４の外周面のうちの該一端側近傍には、ナット６のセパレータ孔６Ａと螺合する雄ねじ４Ａが設けられている。継手部材４の他端側は、継手部材４の軸方向斜交方向に切断された形状となっており、これにより継手部材４の該他端側は鋭利な尖頭部４Ｂとなっている。この略筒状の継手部材４の内周面には、雌ねじが刻設されている。また、継手部材４の外周面には、工具掛け部４Ｅが設けられている。
【００２２】
押え部材２は、継手部材４の内周面と螺合するねじ棒部２Ａと、円盤状のフランジ部２Ｂとを有している。フランジ部２Ｂの周縁からは、ねじ棒部２Ａと同一方向に環状部２Ｃが立設されている。ねじ棒部２Ａはフランジ部２Ｂの中央部に連なっている。
【００２３】
断熱材１２は、発泡スチレン等の発泡合成樹脂よりなるボード形状のものである。
【００２４】
なお、継手部材４及び押え部材２は金属製又は合成樹脂製のいずれでもよいが、継手部材は金属製、押え部材は合成樹脂製であることが好ましい。
【００２５】
かかる構成の断熱材の取付け構造とするための断熱材の取付け手順について以下に説明する。
【００２６】
コンクリート壁１０の壁面に設けられたナット６のセパレータ孔６Ａに、継手部材４の雄ねじ４Ａをねじ込んで該継手部材４を固定する。図示の通り、継手部材４はコンクリート壁１０から前方に突出した状態とされる。
【００２７】
次に、コンクリート壁１０の壁面にボード状の断熱材１２を重ね合わせるようにして配置する。このとき、断熱材１２に継手部材４が刺入されるが、継手部材４の先端は鋭利な尖頭部４Ｂとなっているため、断熱材１２に継手部材４が容易に刺入される。また、尖頭部４Ｂの先端は、断熱材４の前面まで突き抜ける。
【００２８】
その後、継手部材４の先端部に押え部材２のねじ棒部２Ａを螺合し、断熱材１２を押え部材２の環状部２Ｃで押えつけて固定する。
【００２９】
かかる実施の形態の断熱材の取付け構造及び取付け方法によると、断熱材１２は継手部材４によってその荷重が支持され、かつ押え部材２の環状部２Ｃによって押えつけられて前後方向の動きが拘束されるので、断熱材１２の取付けがきわめて強固なものとなる。また、セパレータ孔６Ａに継手部材４をねじ込むだけで継手部材４をコンクリート壁面に取付けることが可能なため、釘やビス等をコンクリート壁に打ち込むことによって継手部材をコンクリート壁に取付ける場合と比べて作業がきわめて容易であり、しかも強度も高い。また、前記の通り、継手部材４の他端側が鋭利な尖頭部４Ｂとなっているため、断熱材１２に継手部材４を容易に刺入することができる。
【００３０】
図２（ａ）は本発明の別の実施の形態に係る断熱材の取付け構造を示す断面図であり、図２（ｂ）は図２（ａ）の断熱材の取付け方法を説明する斜視図である。
【００３１】
本実施の形態においては、セパレータ孔６Ａに継手部材４’をねじ込み、この継手部材４’に刺入するようにして断熱材１２をコンクリート壁１０に重ね合わせ、この継手部材４’に押え部材２２をねじ込んで断熱材１２を固定したものである。
【００３２】
継手部材４’は、その外周面の全体に雄ねじ４Ａが設けられ、内周面の雌ねじが省略された他は前記継手部材４と同一構成のものである。一端側には継手部材４と同じく鍔部４Ｃと開口４Ｄが設けられている。
【００３３】
押え部材２２は、小径の円筒部２２Ａと大径のフランジ部２２Ｂとからなっている。この押え部材２２には、継手部材４’と螺合する雌ねじが刻設された穴２２Ｃが設けられている。なお、円筒部２２Ａの先端側は、先端ほど小径となるテーパ面２２ａとされている。
【００３４】
図２の構造に用いられているその他の部材は前記図１と同一であり、同一符号は同一部分を示している。
【００３５】
この実施の形態においても、断熱材１２を取付けるに際しては、継手部材４’をナット６のセパレータ孔６Ａにねじ込んで該継手部材４’がコンクリート壁面１０から突出するように固定する。そして、断熱材１２を該コンクリート壁面に重ね合わせ、該断熱材１２に継手部材４’を刺入する。この継手部材４’の先端は断熱材１２の前面から突出する。次いで、この継手部材４’の先端に押え部材２２の穴２２Ｃを螺合させるようにして該押え部材２２を締め込む。円筒部２２Ａは、継手部材４’に沿って図２（ａ）の右方向に螺進する。この際、円筒部２２Ａの先端面はテーパ面２２ａとなっているので、該円筒部２２Ａは断熱材１２を押し除けるようにしてスムーズに螺進する。押え部材２２が十分に螺進すると、フランジ部２２Ｂが断熱材１２の前面に重なり、該断熱材１２が押えつけられ、断熱材１２の取付けが行われる。
【００３６】
この図２の実施の形態にあっても、断熱材１２の取付け作業は簡単であり、また断熱材１２の取付強度も十分に高い。
【００３７】
上記図１，２の継手部材４，４’は、セパレータ孔が何らかの理由で塞がっていたり、或いはセパレータ孔が存在しない場合であっても、断熱材１２の取付けに用いることができるよう構成されたものである。
【００３８】
図３に、図１の継手部材４をかかる態様にて使用する一例を示す。
【００３９】
この場合、継手部材４の一端側に設けられた環状の鍔部４Ｃをコンクリート壁１０の壁面に当接する。そして、コンクリート用の釘２５を継手部材４内から開口４Ｄを通し、コンクリート壁１０に打ち込み、継手部材４をコンクリート壁１０に固定する。その後、前記図１の場合と同様に断熱材１２をコンクリート壁１０に重ね合わせて継手部材４を刺入し、押え部材２を該継手部材４の先端に螺着して断熱材１２を押えつける。ただし、この場合、継手部材４をセパレータ孔６Ａにねじ込んでない分だけ継手部材４のコンクリート壁１０からの突出高さが図１よりも大きい。そこで、この図３では、押え部材２の環状部２Ｃと断熱材１２との間にスペーサ２６を介在させ、該スペーサ２６を介して断熱材１２を押えつけるようにしている。
【００４０】
図３では図１の継手部材４を使用しているが、図２の継手部材４’も同様に使用できることは明らかである。
【００４１】
上記実施の形態はいずれも本発明の一例であり、本発明は図示以外の態様をもとり得る。例えば、上記継手部材４は円筒形であるが、雄ねじ４Ａ以外の外周面は六角形など多角形であってもよい。
【００４２】
また、図２では継手部材４’の外周面全体に雄ねじが設けられているが、一端側と他端側にのみ雄ねじを設けてもよいことは明らかである。
【００４３】
【発明の効果】
以上の通り、本発明に係る断熱材の取付け構造及び取付け方法によると、コンクリートの打設のために設けられたセパレータ孔を利用し、セパレータ孔に継手部材をねじ込むだけで継手部材をコンクリート壁面に取付けることが可能となり、また、この継手部材へ断熱材を刺入した後、継手部材へ押え部材をねじ込むことにより断熱材をコンクリート壁面にきわめて容易かつ強固に取付けることができる。
【図面の簡単な説明】
【図１】（ａ）は本発明の実施の形態に係る断熱材の取付け構造を示す断面図であり、（ｂ）は（ａ）の断熱材の取付け構造を説明する斜視図である。
【図２】（ａ）は本発明の別の実施の形態に係る断熱材の取付け構造を示す断面図であり、（ｂ）は（ａ）の断熱材の取付け構造を説明する斜視図である。
【図３】（ａ）は図１（ａ），（ｂ）の断熱材の取付け構造に使用された継手部材を、ビスを用いてコンクリート壁面に取付けた状態を示す断面図であり、（ｂ）は（ａ）の継手部材とビスの斜視図である。
【図４】セパレータが残存するコンクリート壁面の断面図である。
【符号の説明】
２　押え部材
２Ａ　ねじ棒部
２Ｂ　フランジ部
２Ｃ　環状部
４，４’　継手部材
４Ａ　雄ねじ
４Ｂ　尖頭部
４Ｃ　鍔部
４Ｄ　開口
４Ｅ　工具掛け部
６　ナット
６Ａ　セパレータ孔
８　セパレータ
８Ａ　雄ねじ部
１０　コンクリート壁
１２　断熱材
２２　押え部材
２２Ａ　円筒部
２２Ｂ　フランジ部
２５　コンクリート用釘
２６　スペーサ
【図１】
2004027612.tif 000003
【図２】
2004027612.tif 000004
【図３】
2004027612.tif 000005
【図４】
2004027612.tif 000006